(57)【特許請求の範囲】
【請求項１】
焦点検出動作を制御する制御手段と、操作されることにより前記制御手段に対して焦点検出動作の開始を指示する第１操作手段と、半押し状態の操作で前記制御手段に対して焦点検出動作の開始を指示する第２操作手段と、を備え、画面内の複数の焦点検出エリアのうちの所望のエリアに対する焦点検出が可能な焦点検出装置であって、
前記制御手段は、前記第１操作手段がオンの状態になると、前記複数の焦点検出エリアのうちの特定エリアに対する焦点検出，焦点調節及び合焦時のフォーカスロックを行う第１制御を実行し、この第１制御を実行していないときに前記第２操作手段が半押し状態になると、前記複数の焦点検出エリアのうちのいずれかの焦点検出エリアに対する焦点検出及び焦点調節を行う第２制御を実行し、前記第２操作手段が半押し状態にあり、かつ、前記第１制御を実行しているときに前記第１操作手段がオフの状態になると、前記第２制御を実行することを特徴とする焦点検出装置。
【請求項２】
焦点検出動作を制御する制御手段と、操作されることにより前記制御手段に対して焦点検出動作の開始を指示する第１操作手段と、操作者の接眼を検知することで前記制御手段に対して焦点検出動作の開始を指示する第２操作手段と、を備え、画面内の複数の焦点検出エリアのうちの所望のエリアに対する焦点検出が可能な焦点検出装置であって、
前記制御手段は、前記第１操作手段がオンの状態になると、前記複数の焦点検出エリアのうちの特定エリアに対する焦点検出，焦点調節及び合焦時のフォーカスロックを行う第１制御を実行し、この第１制御を実行していないときに前記第２操作手段で接眼を検知した状態になると、前記複数の焦点検出エリアのうちのいずれかの焦点検出エリアに対する焦点検出及び焦点調節を行う第２制御を実行し、前記接眼検知状態にあり、かつ、前記第１制御を実行しているときに前記第１操作手段がオフの状態になると、前記第２制御を実行することを特徴とする焦点検出装置。
【請求項３】
操作されると前記第１操作手段から前記制御手段への指示内容の切り替えを前記制御手段に対して指示する第３操作手段を更に備え、前記指示内容の切り替えは、前記第３操作手段の操作に応じて、前記第１，第２制御の実行可能なモードと、前記第１，第２制御以外の制御の実行可能なモードと、の切り替えであることを特徴とする請求項１又は２に記載の焦点検出装置。
【請求項４】
前記特定エリアが画面中央に位置する焦点検出エリアであることを特徴とする請求項１又は２に記載の焦点検出装置。
【発明の詳細な説明】
【０００１】
【発明の属する技術分野】
本発明は、焦点検出装置に関するものであり、例えば写真撮影において、撮影画面内の複数の焦点検出エリアのうちの所望のエリアに対する焦点検出(いわゆる多点焦点検出)が可能な焦点検出装置に関するものである。
【０００２】
【従来の技術】
一般に、カメラで撮影を行う場合(特に接写の場合)、撮影画面の中央に主被写体が位置することが多い。また、人物撮影(特にバストアップ)では、ＡＦ(autofocus)で目にピントを合わせて、フォーカスロックによりその合焦状態を保持しながら構図を変化させることがよくある。撮影画面内の複数の焦点検出エリアのうちの所望のエリアに対する焦点検出，焦点調節及びフォーカスロックが可能なカメラを用いれば、画面中央に位置する焦点検出エリアを選択してＡＦ(焦点検出，焦点調節)及びフォーカスロックを行うことは可能である。
【０００３】
【発明が解決しようとする課題】
しかし、画面中央の焦点検出エリアを選択するための操作手段と、ＡＦ及びフォーカスロックを指示するための操作手段と、が別途必要とされるため、操作は煩わしいものとなる。
【０００４】
本発明は、このような状況に鑑みてなされたものであって、その目的は、画面内の特定の焦点検出エリアに対する焦点検出，焦点調節及び合焦時のフォーカスロックを、簡単な操作で行うことができる焦点検出装置を提供することにある。
【０００５】
【課題を解決するための手段】
上記目的を達成するために、第１の発明の焦点検出装置は、焦点検出動作を制御する制御手段と、操作されることにより前記制御手段に対して焦点検出動作の開始を指示する第１操作手段と、半押し状態の操作で前記制御手段に対して焦点検出動作の開始を指示する第２操作手段と、を備え、画面内の複数の焦点検出エリアのうちの所望のエリアに対する焦点検出が可能な焦点検出装置であって、前記制御手段は、前記第１操作手段がオンの状態になると、前記複数の焦点検出エリアのうちの特定エリアに対する焦点検出，焦点調節及び合焦時のフォーカスロックを行う第１制御を実行し、この第１制御を実行していないときに前記第２操作手段が半押し状態になると、前記複数の焦点検出エリアのうちのいずれかの焦点検出エリアに対する焦点検出及び焦点調節を行う第２制御を実行し、前記第２操作手段が半押し状態にあり、かつ、前記第１制御を実行しているときに前記第１操作手段がオフの状態になると、前記第２制御を実行することを特徴とする。
また第２の発明の焦点検出装置は、焦点検出動作を制御する制御手段と、操作されることにより前記制御手段に対して焦点検出動作の開始を指示する第１操作手段と、操作者の接眼を検知することで前記制御手段に対して焦点検出動作の開始を指示する第２操作手段と、を備え、画面内の複数の焦点検出エリアのうちの所望のエリアに対する焦点検出が可能な焦点検出装置であって、前記制御手段は、前記第１操作手段がオンの状態になると、前記複数の焦点検出エリアのうちの特定エリアに対する焦点検出，焦点調節及び合焦時のフォーカスロックを行う第１制御を実行し、この第１制御を実行していないときに前記第２操作手段で接眼を検知した状態になると、前記複数の焦点検出エリアのうちのいずれかの焦点検出エリアに対する焦点検出及び焦点調節を行う第２制御を実行し、前記接眼検知状態にあり、かつ、前記第１制御を実行しているときに前記第１操作手段がオフの状態になると、前記第２制御を実行することを特徴とする。
【０００６】
第３の発明の焦点検出装置は、上記第１又は第２の発明の構成において、操作されると前記第１操作手段から前記制御手段への指示内容の切り替えを前記制御手段に対して指示する第３操作手段を更に備え、前記指示内容の切り替えは、前記第３操作手段の操作に応じて、前記第１，第２制御の実行可能なモードと、前記第１，第２制御以外の制御の実行可能なモードと、の切り替えであることを特徴とする。
【０００７】
第４の発明の焦点検出装置は、上記第１又は第２の発明の構成において、前記特定エリアが画面中央に位置する焦点検出エリアであることを特徴とする。
【０００８】
【発明の実施の形態】
以下、本発明を実施した焦点検出装置を、図面を参照しつつ説明する。図１はこの焦点検出装置を備えたカメラの背面側外観、図２は焦点検出装置の一部を構成する多点焦点検出用ＡＦモジュールの外観、図３は焦点検出装置のＡＦ制御に関する主要構成を示している。また、図４は撮影画面内の焦点検出エリア(以下「ＡＦエリア」ともいう。)ＡＷ，ＡＳ，Ａ１〜Ａ３；フォーカスフレームＦＷ，ＦＳ等を示しており、図５〜図８は焦点検出装置のＡＦ制御動作を示している。なお、ワイドエリアＡＷとローカルエリアＡＳ，Ａ１〜Ａ３とから成る上記焦点検出エリアのうち、ローカルエリアＡＳ，Ａ１〜Ａ３には、ワイドフォーカスでの合焦時に点灯する合焦アイランドが位置している。
【０００９】
《カメラの外観(図１)》
接眼検知部１０は、撮影者がファインダーを覗いていることを検知するセンサーであって、投光素子及び受光素子から成っている。撮影者がファインダーを覗いているときにはスイッチＳ０(図３)がｏｎ状態になり、撮影者がファインダーから目を離すとスイッチＳ０がｏｆｆ状態になる。スイッチＳ０のｏｎ状態では、コンティニュアスＡＦが行われる。
【００１０】
レリーズ釦１１は、半押しでスイッチＳ１(図３)がｏｎ状態になり、レリーズ釦１１の半押しをやめるとスイッチＳ１がｏｆｆ状態になる。スイッチＳ１のｏｎ状態では、ワンショットＡＦ(合焦時フォーカスロックされる。)とコンティニュアスＡＦ(フォーカスロックすることなくＡＦが続けられる。)とが自動的に切替・選択されて焦点検出が行われる(以下、この制御を「オートワンコン」という。)。
【００１１】
ＡＦ釦１２は、スイッチＳＷ１をｏｎ／ｏｆｆするための操作部材であり、ＡＦ釦１２を押している間スイッチＳＷ１がｏｎ状態になり、ＡＦ釦１２を離すとスイッチＳＷ１がｏｆｆ状態になる。スイッチＳＷ１は、焦点検出エリアＡＷ，ＡＳ，Ａ１〜Ａ３の選択，焦点検出，フォーカスロック(以下「ＡＦロック」ともいう。)等を制御するスイッチである。なお、ＡＦ釦１２を押すごとにスイッチＳＷ１のｏｎ／ｏｆｆが切り替わるようにしてもよい。
【００１２】
セレクトダイアル１３は、焦点検出エリアＡＷ，ＡＳ，Ａ１〜Ａ３を切り替えるための操作部材であって、このセレクトダイアル１３を操作するとスイッチＳＷ２(図３)のｏｎ／ｏｆｆ状態が変化する。ＡＦ釦１２を押しながら(つまり、スイッチＳＷ１ｏｎ中に)セレクトダイアル１３を操作すると、焦点検出エリアがＡＷ→ＡＳ→Ａ１→Ａ２→Ａ３→ＡＷとサイクリックに切り替わり、ＡＦ釦１２を離す(スイッチＳＷ１ｏｆｆ)と、そのときの焦点検出エリアが確定される。
【００１３】
カスタム釦１４は、スイッチＳＷ３をｏｎ／ｏｆｆするための操作部材であり、カスタム釦１４を押すごとにスイッチＳＷ３のｏｎ／ｏｆｆが切り替わる。スイッチＳＷ３のｏｎ／ｏｆｆ状態に応じて、設定１(図６)／設定２(図８)のいずれかのモードにスイッチＳＷ１の機能が切り替えられる。なお、カスタム釦１４を押す(ＳＷ３ｏｎ)と設定１／設定２の選択モードに入り、カスタム釦１４を押しながら(ＳＷ３ｏｎ中)セレクトダイアル１３を回すと設定１／設定２が切り替わって、カスタム釦１４を離す(ＳＷ３ｏｆｆ)とそのときの設定１／設定２に確定されるようにしてもよい。さらには、ＡＦ釦１２にもたせた複数の機能モード(例えば、設定１，設定２，設定３，設定４，…)のうちの１つを、カスタム釦１４とセレクトダイアル１３の操作によって選択・設定するようにしてもよい。
【００１４】
《ＡＦモジュール，ＡＦ制御に関する主要な構成(図２，図３)》
図２中、２１はフィルタ、２２はコンデンサレンズ、２３はミラー、２４は絞りマスク、２５はセパレータレンズ、２６はＣＣＤセンサーである。図３中、１は撮影レンズ、２は焦点調節部である。焦点調節部２は、焦点検出用ＣＣＤ３(ＣＣＤセンサー２６に内蔵されている。)とレンズ駆動用モーター４とを含んだ構成となっている。５はファインダー内に設けられたＬＣＤであり、このＬＣＤ５にフォーカスフレームＦＷ，ＦＳ等が表示される。６は各部を制御するＣＰＵである。ＣＰＵ６は、各スイッチＳ０，Ｓ１，ＳＷ１等の状態を検出して焦点検出動作を制御し、焦点調節部２に対する焦点調節制御を行う。また、ＣＰＵ６は、ＬＣＤ５に対する表示制御も行う。
【００１５】
《撮影画面内の表示等(図４)》
図４(ａ)は、ワイドフォーカス時の撮影画面内表示を示している。図４(ａ)に示すように、ＬＣＤ５(図３)にはワイドフォーカスフレームＦＷが表示される。このワイドフォーカスフレームＦＷは、ワイドエリアＡＷを示すためのものであり、ワイドフォーカス時の焦点検出及び焦点調節は、焦点検出エリアＡＳ，Ａ１〜Ａ３に対応する複数のＣＣＤ出力に基づいて行われる。焦点検出のアルゴリズムとしては、焦点検出エリアＡＳ，Ａ１〜Ａ３のなかで最も近接した被写体に対して焦点検出を行う、各焦点検出エリアＡＳ，Ａ１〜Ａ３での測距値の平均に基づいて焦点検出を行う、画面中央の焦点検出エリアＡＳを優先して焦点検出を行う等のアルゴリズムが予め設定されている。また、ワイドフォーカス時の焦点検出及び焦点調節(設定１でのＳＷ１ｏｎ，ＡＦロック状態)においては、例えば、どのローカルエリアＡＳ，Ａ１〜Ａ３で合焦したかを表示するために、合焦アイランドの点灯が行われる。
【００１６】
図４(ｂ)は、スポットフォーカス時の撮影画面内表示を示している。図４(ｂ)に示すように、ＬＣＤ５にはスポットフォーカスフレームＦＳが表示される。スポットフォーカスフレームＦＳは、画面中央に位置するローカルエリア(以下「スポットエリア」ともいう。)ＡＳを示すためのものであり、スポットフォーカス時の焦点検出及び焦点調節は、スポットエリアＡＳに対応するＣＣＤ出力に基づいて行われる。なお、焦点検出がローカルエリアＡ１〜Ａ３に対して行われる場合には、そのローカルエリアＡ１〜Ａ３を示すフォーカスフレームが、スポットフォーカスフレームＦＳ{図４(ｂ)}と同様に表示される。
【００１７】
《ＡＦ制御(図５〜図８)》
次に、ＣＰＵ６によるＡＦ制御(焦点検出・焦点調節制御等)を説明する。ＡＦ制御フローは、以下に説明するメインフロー(図５)，設定１のモードでの制御フロー(図６)，設定１のモードでの表示制御フロー(図７)及び設定２のモードでの制御フロー(図８)から成っている。
【００１８】
〈メインフロー(図５)〉
まず、ステップ＄１でスイッチＳ０，Ｓ１，ＳＷ１のｏｎ／ｏｆｆ状態の判定を行う。スイッチＳ０，Ｓ１，ＳＷ１がすべてｏｆｆ状態であれば、ステップ＄５でＡＦを行わない他の動作(例えば、レンズ装着，フィルム等のチェック；様々な設定変更動作等)を行って終了する。スイッチＳ０，Ｓ１，ＳＷ１のいずれかがｏｎ状態であれば、ステップ＄２でスイッチＳＷ３が設定１，設定２のいずれの状態に切り替えられているかを判定する。この判定によって、ＡＦ釦１２(スイッチＳＷ１)の機能が決まる。つまり、カスタム釦１４が操作されると、スイッチＳＷ３は、スイッチＳＷ１(ＡＦ釦１２)からＣＰＵ６への指示内容(つまり機能)の切り替えを、ＣＰＵ６に対して指示する状態になる。このように、スイッチＳＷ３によってスイッチＳＷ１が多機能化されている。ステップ＄２の判定により、設定１であればステップ＄３に進んで設定１のモードでの制御(図６)を実行して終了し、設定２であればステップ＄４に進んで設定２のモードでの制御(図８)を実行して終了する。
【００１９】
〈設定１(図６，図７)〉
次に、設定１の制御動作を説明する。まず、スイッチチェックを行い(＃１)、ＡＦエリア設定・表示を行う(＃２)。このＡＦエリア設定・表示では、前述したＡＦ釦１２とセレクトダイアル１３の操作により切り替えられたスイッチ状態に基づいて、焦点検出エリアＡＷ，ＡＳ，Ａ１〜Ａ３の設定及び表示を行う。ワイドエリアＡＷはワイドフォーカスフレームＦＷで示され、スポットエリアＡＳはスポットフォーカスフレームＦＳで示され、ローカルエリアＡ１〜Ａ３はそれぞれのエリア表示の点灯により示される。なお、焦点検出エリアの初期設定は、ワイドエリアＡＷである。
【００２０】
ついで、測距演算(＃３)，合焦判定(＃４)，スイッチチェック(＃５)を行い、ステップ＃６でスイッチＳ０，Ｓ１，ＳＷ１のｏｎ／ｏｆｆ状態を判定する。スイッチＳ０，Ｓ１，ＳＷ１がすべてｏｆｆ状態であればリターンし、スイッチＳ０，Ｓ１，ＳＷ１のいずれかがｏｎ状態であれば、ステップ＃７に進む。
【００２１】
ステップ＃７では、スイッチＳＷ１のｏｎ状態でスイッチＳＷ２の変化があるか否かを、前記スイッチチェック(＃１，＃５)での結果に基づいて判定する。スイッチＳＷ２に変化があれば、前記焦点検出エリアＡＷ，ＡＳ，Ａ１〜Ａ３の切替操作が行われたことになるので、ステップ＃１０でＡＦ状態初期化(ＡＦロック解除)を行い、ステップ＃２３で表示制御を行った後、ステップ＃２に戻る。スイッチＳＷ２に変化がなければ、スイッチＳ０がｏｎ状態か又はコンティニュアスＡＦが設定された状態でスイッチＳＷ１の変化があるか否かを、前記スイッチチェック(＃１，＃５)での結果に基づいて判定する(＃８)。スイッチＳＷ１に変化があれば、ステップ＃１０でＡＦ初期化を行い、ステップ＃２３で表示制御を行った後、ステップ＃２に戻る。スイッチＳＷ１に変化がなければ、ステップ＃９に進む。
【００２２】
ステップ＃９では、ＡＦロックが設定されているか否かを判定する。ＡＦロックが設定されていれば、ステップ＃２３で表示制御を行った後、ステップ＃２に戻る。ＡＦロックが設定されていなければ、コンティニュアスＡＦに設定されているか(＃１１)、レンズ駆動中か(＃１２)、合焦状態にあるか(＃１３)、スイッチＳＷ１がｏｎ状態にあるか(＃１４)、を判定する。コンティニュアスＡＦに設定されている場合、レンズ駆動中の場合、非合焦状態の場合には、ステップ＃２１で駆動量の設定を行い、ステップ＃２２でレンズ駆動を行った後、ステップ＃２３を経てステップ＃２に戻る。また、ステップ＃１４でスイッチＳＷ１がｏｎ状態にあると判定した場合、ステップ＃１５でＡＦロックの設定を行った後、ステップ＃２３を経てステップ＃２に戻る。ステップ＃１４でスイッチＳＷ１がｏｆｆ状態にあると判定した場合には、ステップ＃１６に進む。
【００２３】
ステップ＃１６ではスイッチＳ１のｏｎ／ｏｆｆ状態を判定する。スイッチＳ１がｏｆｆ状態であれば、接眼検知状態(スイッチＳ０がｏｎ状態)にあるので、コンティニュアスＡＦの設定を行った後(＃２０)、ステップ＃２１，＃２２，＃２３と進んでステップ＃２に戻る。スイッチＳ１がｏｎ状態であれば、ステップ＃１７で動体判定を行う。ステップ＃１８の判定で静体確定であればステップ＃１５，＃２３と進んでステップ＃２に戻り、ステップ＃１９の判定で動体確定であればステップ＃２０，＃２１，＃２２，＃２３と進んでステップ＃２に戻る。静体でも動体でもないと判定したら、そのままステップ＃２３に進んでステップ＃２に戻る。
【００２４】
ステップ＃２３の表示制御(図７)では、まず、スイッチＳＷ１の判定を行う。スイッチＳＷ１がｏｆｆ状態であれば合焦アイランドを消灯して(＃６３)リターンし、スイッチＳＷ１がｏｎ状態であればステップ＃６１でＡＦロックの判定を行う。ＡＦロックが設定されていなければ合焦アイランドを消灯して(＃６３)リターンし、ＡＦロックが設定されていれば合焦アイランドを点灯して(＃６２)リターンする。
【００２５】
上述した設定１の制御を、ＡＦ釦１２の状態(つまり、スイッチＳＷ１のｏｎ／ｏｆｆ状態)との関連で以下に説明する。まず、スイッチＳＷ１がｏｆｆ状態の場合には、スイッチＳ０がｏｎ状態になるとコンティニュアスＡＦが実行され(＃１４→＃１６→＃２０)、スイッチＳ１がｏｎ状態になるとオートワンコンが実行される(＃１４→＃１６→＃１７)。
【００２６】
スイッチＳＷ１がｏｆｆ状態からｏｎ状態へと変化した場合、焦点検出エリアは変化せず、スイッチＳ１がｏｎ状態でＡＦロックの時スイッチＳＷ１がｏｆｆ状態からｏｎ状態へと変化した場合、合焦状態が保持される。また、ワイドフォーカス時には、合焦している合焦アイランドが点灯表示される。上記以外でスイッチＳＷ１がｏｆｆ状態からｏｎ状態へと変化した場合は、そのときの焦点検出エリアＡＷ，ＡＳ，Ａ１〜Ａ３に応じたアルゴリズムで合焦した後ＡＦロックされる。合焦すると合焦アイランドが点灯表示されるが、ローカルエリアＡＳ，Ａ１〜Ａ３が選択されている場合、焦点検出エリアと合焦エリアとが重なって表示される。
【００２７】
スイッチＳＷ１がｏｎ状態にあれば、スイッチＳ１がｏｎ／ｏｆｆしてもＡＦロックにより合焦状態が保持される(＃２〜＃９のルーチンを回る。)。セレクトダイアル１３を操作してスイッチＳＷ２の状態を変化させると、焦点検出エリアＡＷ，ＡＳ，Ａ１〜Ａ３を選択することができる。焦点検出エリア選択後は、ＡＦロックが解除されて再度測距が行われ、合焦後ＡＦロックされる(＃７→＃１０→＃２→＃３→＃１４→＃１５)。ワイドフォーカス時には合焦アイランドが点灯する。
【００２８】
スイッチＳＷ１がｏｎ状態からｏｆｆ状態へと変化すると、焦点検出エリアＡＷ，ＡＳ，Ａ１〜Ａ３はｏｆｆ直前のものに保持される(ワイドフォーカス時の合焦アイランド表示は消灯する。)。スイッチＳ１がｏｎ状態で、スイッチＳＷ１がｏｎ状態からｏｆｆ状態へと変化した場合、ＡＦロックにより合焦状態が保持される(＃１５→＃２→＃９→＃２→＃９→…)。スイッチＳ０がｏｎ状態で、スイッチＳＷ１がｏｎ状態からｏｆｆ状態へと変化した場合、ＡＦロックが解除されてコンティニュアスＡＦが行われる(＃８→＃１０→＃２→＃１４→＃１６→＃２０)。スイッチＳ０，Ｓ１が共にｏｆｆ状態で、スイッチＳＷ１がｏｎ状態からｏｆｆ状態へと変化した場合、設定１の制御フローから抜ける(＃６→return)。
【００２９】
〈設定２(図８)〉
次に、設定２の制御動作を説明する。まず、スイッチチェックを行い(＃３１)、スイッチＳＷ１のｏｎ／ｏｆｆ状態を判定する(＃３２)。スイッチＳＷ１がｏｆｆ状態にあれば、ステップ＃３３でワイドエリアＡＷの設定・表示{図４(ａ)}を行い、スイッチＳＷ１がｏｎ状態にあれば、ステップ＃３４でスポットエリアＡＳの設定・表示{図４(ｂ)}を行う。
【００３０】
ついで、測距演算(＃３５)，合焦判定(＃３６)，スイッチチェック(＃３７)を行い、ステップ＃３８でスイッチＳ０，Ｓ１，ＳＷ１のｏｎ／ｏｆｆ状態を判定する。スイッチＳ０，Ｓ１，ＳＷ１がすべてｏｆｆ状態であればリターンし、スイッチＳ０，Ｓ１，ＳＷ１のいずれかがｏｎ状態であれば、ステップ＃３９に進む。
【００３１】
ステップ＃３９では、スイッチＳＷ１の変化があるか否かを、前記スイッチチェック(＃３１，＃３７)での結果に基づいて判定する。スイッチＳＷ１に変化があれば、ステップ＃４１でＡＦ状態初期化(ＡＦロック解除)を行い、ステップ＃３２に戻る。スイッチＳＷ１に変化がなければ、ＡＦロックが設定されているか否かを判定する。ＡＦロックが設定されていれば、ステップ＃３２に戻り、ＡＦロックが設定されていなければ、コンティニュアスＡＦに設定されているか(＃４２)、レンズ駆動中か(＃４３)、合焦状態にあるか(＃４４)、スイッチＳＷ１がｏｎ状態にあるか(＃４５)、を判定する。コンティニュアスＡＦに設定されている場合、レンズ駆動中の場合、非合焦状態の場合には、ステップ＃５２で駆動量の設定を行い、ステップ＃５３でレンズ駆動を行った後、ステップ＃３２に戻る。また、ステップ＃４５でスイッチＳＷ１がｏｎ状態にあると判定した場合、ステップ＃４６でＡＦロックの設定を行った後、ステップ＃３２に戻る。ステップ＃４５でスイッチＳＷ１がｏｆｆ状態にあると判定した場合には、ステップ＃４７に進む。
【００３２】
ステップ＃４７ではスイッチＳ１のｏｎ／ｏｆｆ状態を判定する。スイッチＳ１がｏｆｆ状態であれば、接眼検知状態(スイッチＳ０がｏｎ状態)にあるので、コンティニュアスＡＦの設定を行った後(＃５１)、ステップ＃５２，＃５３と進んでステップ＃３２に戻る。スイッチＳ１がｏｎ状態であれば、ステップ＃４８で動体判定を行う。ステップ＃４９の判定で静体確定であればステップ＃４６に進んでステップ＃３２に戻り、ステップ＃５０の判定で動体確定であればステップ＃５１，＃５２，＃５３と進んでステップ＃３２に戻る。静体でも動体でもないと判定したら、そのままステップ＃３２に戻る。
【００３３】
上述した設定２の制御を、ＡＦ釦１２の状態(つまり、スイッチＳＷ１のｏｎ／ｏｆｆ状態)との関連で以下に説明する。まず、スイッチＳＷ１がｏｆｆ状態の場合には、焦点検出エリアがワイドエリアＡＷに設定・表示され(＃３３)、スイッチＳ０がｏｎ状態であればコンティニュアスＡＦが実行され(＃４５→＃４７→＃５１)、スイッチＳ１がｏｎ状態であればオートワンコンが実行される(＃４５→＃４７→＃４８)。
【００３４】
スイッチＳＷ１がｏｆｆ状態からｏｎ状態へと変化した場合、ワイドエリアＡＷから画面中央のスポットエリアＡＳへと焦点検出エリアが切り替わる(＃３４)。そして、ローカルアルゴリズムで合焦した後、ＡＦロックされる(＃３５→＃４４→＃４５→＃４６)。スイッチＳ１でＡＦロックされていても、ＡＦロックが解除され、スポットエリアＡＳで再度測距が行われ、合焦後ＡＦロックされる(＃４７→＃４９→＃４６→＃３９→＃４１→＃３２→＃３５→…)。
【００３５】
スイッチＳＷ１がｏｎ状態にあれば、スイッチＳ１がｏｎ／ｏｆｆしてもＡＦロックにより合焦状態が保持される(＃３２〜＃４０のルーチンを回る。)。そして、スイッチＳＷ１がｏｎ状態からｏｆｆ状態へと変化すると、焦点検出エリアがワイドエリアＡＷに戻る(＃３３)。スイッチＳ１がｏｎ状態であれば、ＡＦロックが解除されてオートワンコンがやり直される(＃３９→＃４１→＃３２→＃３３→＃４７→＃４８→…)。スイッチＳ０がｏｎ状態であれば、ＡＦロックが解除されてコンティニュアスＡＦが行われる(＃３９→＃４１→＃３２→＃３３→＃４７→＃５１→…)。スイッチＳ０，Ｓ１が共にｏｆｆ状態であれば、設定２の制御フローから抜ける(＃３８→return)。
【００３６】
上記設定２におけるＡＦ制御によれば、スイッチＳＷ１がｏｎ状態になると、複数ある焦点検出エリアＡＷ，ＡＳ，Ａ１〜Ａ３のうちのスポットエリアＡＳに対する焦点検出，焦点調節及び合焦時のフォーカスロックが行われる(第１制御)。また、第１制御が実行されていないときにスイッチＳ０，Ｓ１がｏｎ状態になると、ワイドエリアＡＷに対する焦点検出及び焦点調節が行われる(第２制御)。さらに、スイッチＳ０，Ｓ１がｏｎ状態にあり、かつ、第１制御を実行しているときにスイッチＳＷ１がｏｆｆ状態になると、第２制御が実行される。このように、ＡＦ釦１２を押すだけの簡単な操作で、画面内の特定の焦点検出エリアＡＳに対する焦点検出，焦点調節及び合焦時のフォーカスロックを行うことができる。また、スポットエリアＡＳが画面中央に位置するため、例えば人物撮影や接写を行う場合でも迅速に操作を行うことができる。
【００３７】
【発明の効果】
以上説明したように第１〜第４の発明によれば、画面内の特定の焦点検出エリアに対する焦点検出，焦点調節及び合焦時のフォーカスロックを、簡単な操作で行うことができる。第３の発明によれば、第１操作手段の機能を第３操作手段によって増やすことができる。第４の発明によれば、例えば人物撮影や接写を行う場合でも迅速に操作を行うことができる。
【図面の簡単な説明】
【図１】本実施の形態を備えたカメラの背面側外観を示す斜視図。
【図２】多点焦点検出用のＡＦモジュールを示す斜視図。
【図３】ＡＦ制御に関する主要構成を示すブロック図。
【図４】撮影画面内の焦点検出エリア及びフォーカスフレームを示す図。
【図５】メインフローを示すフローチャート。
【図６】設定１の制御フローを示すフローチャート。
【図７】設定１における表示制御フローを示すフローチャート。
【図８】設定２の制御フローを示すフローチャート。
【符号の説明】
１  …撮影レンズ
２  …焦点調節部
３  …焦点検出用ＣＣＤ(Charge Coupled Device)
４  …レンズ駆動用モーター
５  …ＬＣＤ(liquid crystal display)
６  …ＣＰＵ(central processing unit，制御手段)
１０  …接眼検知部(第２操作手段)
１１  …レリーズ釦(第２操作手段)
１２  …ＡＦ釦(第１操作手段)
１３  …セレクトダイアル
１４  …カスタム釦(第３操作手段)
Ｓ０  …スイッチ(第２操作手段)
Ｓ１  …スイッチ(第２操作手段)
ＳＷ１  …スイッチ(第１操作手段)
ＳＷ２  …スイッチ
ＳＷ３  …スイッチ(第３操作手段)
ＡＷ  …ワイドエリア(焦点検出エリア)
ＡＳ  …スポットエリア(焦点検出エリア)
Ａ１〜Ａ３  …ローカルエリア(焦点検出エリア)
【図１】
0003757524.tif 000002
【図２】
0003757524.tif 000003
【図３】
0003757524.tif 000004
【図４】
0003757524.tif 000005
【図５】
0003757524.tif 000006
【図６】
0003757524.tif 000007
【図７】
0003757524.tif 000008
【図８】
0003757524.tif 000009